(57)【要約】【課題】より効率的にオゾン水の溶存オゾン濃度を高めることのできる水処理装置を得る。【解決手段】水処理装置１０は、水路１１と、水路１１に設けられてオゾンを発生させるオゾン発生手段４０と、を備えており、オゾン発生手段４０によって発生したオゾンを水に溶解させてオゾン水を生成するものである。さらに、水処理装置１０は、オゾン発生手段４０の下流側に設けられ、オゾン発生手段４０によって発生したオゾンが含まれる気泡を微細化する気泡微細化手段５０を備えている。そして、流入側５０ａが流出側５０ｂよりも下方に位置するように気泡微細化手段５０を設けた。【選択図】図１
2014004568.tif 000002
【特許請求の範囲】
【請求項１】
水路と、前記水路に設けられてオゾンを発生させるオゾン発生手段と、を備え、前記オゾン発生手段によって発生したオゾンを水に溶解させてオゾン水を生成する水処理装置であって、
前記水処理装置は、前記オゾン発生手段の下流側に設けられ、前記オゾン発生手段によって発生したオゾンが含まれる気泡を微細化する気泡微細化手段を備えており、
前記気泡微細化手段は、流入側が流出側よりも下方に位置するように設けられていることを特徴とする水処理装置。
【請求項２】
前記気泡微細化手段は、複数の貫通孔が形成された基体を水路内に設けることで形成されていることを特徴とする請求項１に記載の水処理装置。
【請求項３】
前記水処理装置は加圧手段を備えていることを特徴とする請求項１または請求項２に記載の水処理装置。
【請求項４】
前記加圧手段が圧力調整弁であることを特徴とする請求項３に記載の水処理装置。
【請求項５】
前記オゾン発生手段の下流側には、水を滞留させる滞留手段が設けられていることを特徴とする請求項１〜４のうちいずれか１項に記載の水処理装置。
【請求項６】
前記水処理装置は、オゾン水を循環させる循環手段を備えていることを特徴とする請求項１〜５のうちいずれか１項に記載の水処理装置。
【請求項７】
前記水路は、前記気泡微細化手段よりも上流側に形成された分岐水路を備えており、前記水路には、水路内の水を前記気泡微細化手段に流入させる経路と前記分岐水路に流入させる経路とを切り替える弁が形成されていることを特徴とする請求項１〜６のうちいずれか１項に記載の水処理装置。
【発明の詳細な説明】
【技術分野】
【０００１】
本発明は、水処理装置に関する。
【背景技術】
【０００２】
従来、水処理装置として、原水を電気分解してオゾンを発生させるオゾン発生手段を備え、当該オゾン発生手段によって発生したオゾンが水中に溶解してオゾン水が生成されるようにしたものが知られている（例えば、特許文献１参照）。
【０００３】
この特許文献１では、軟水器によって原水中の陽イオンを除去し、陰イオン除去装置によって原水中の陰イオンを除去することで、電極への化合物の析出・付着を抑制し、以て、オゾン水の生成能力が低下してしまうのを抑制している。
【先行技術文献】
【特許文献】
【０００４】
【特許文献１】特開２０１０−２０９３７０号公報
【発明の概要】
【発明が解決しようとする課題】
【０００５】
ところで、原水を電気分解する際には、電気分解によって発生したオゾンを含む気泡が電極の周辺に大小様々な大きさで形成される。そして、大きな気泡が形成されると、大きな気泡は水に溶解することなく気泡のまま吐出されるおそれがある。
【０００６】
すなわち、上記従来技術では、電極への化合物の析出・付着を抑制して、オゾン水の生成能力が低下してしまうのを抑制することはできるが、オゾンが含まれた気泡を効率よく水に溶解させることができないという問題がある。そのため、上記従来技術では、効率的にオゾン水の溶存オゾン濃度を高めることができなかった。
【０００７】
そこで、本発明は、より効率的にオゾン水の溶存オゾン濃度を高めることのできる水処理装置を得ることを目的とする。
【課題を解決するための手段】
【０００８】
本発明の第１の特徴は、水路と、前記水路に設けられてオゾンを発生させるオゾン発生手段と、を備え、前記オゾン発生手段によって発生したオゾンを水に溶解させてオゾン水を生成する水処理装置であって、前記水処理装置は、前記オゾン発生手段の下流側に設けられ、前記オゾン発生手段によって発生したオゾンが含まれる気泡を微細化する気泡微細化手段を備えており、前記気泡微細化手段は、流入側が流出側よりも下方に位置するように設けられていることを要旨とする。
【０００９】
本発明の第２の特徴は、前記気泡微細化手段は、複数の貫通孔が形成された基体を水路内に設けることで形成されていることを要旨とする。
【００１０】
本発明の第３の特徴は、前記水処理装置は加圧手段を備えていることを要旨とする。
【００１１】
本発明の第４の特徴は、前記加圧手段が圧力調整弁であることを要旨とする。
【００１２】
本発明の第５の特徴は、前記オゾン発生手段の下流側には、水を滞留させる滞留手段が設けられていることを要旨とする。
【００１３】
本発明の第６の特徴は、前記水処理装置は、オゾン水を循環させる循環手段を備えていることを要旨とする。
【００１４】
本発明の第７の特徴は、前記水路は、前記気泡微細化手段よりも上流側に形成された分岐水路を備えており、前記水路には、水路内の水を前記気泡微細化手段に流入させる経路と前記分岐水路に流入させる経路とを切り替える弁が形成されていることを要旨とする。
【発明の効果】
【００１５】
本発明にかかる水処理装置は、オゾン発生手段の下流側に設けられてオゾン発生手段によって発生したオゾンが含まれる気泡を微細化する気泡微細化手段を備えている。そして、この気泡微細化手段によって、オゾンを発生させる際に形成されるオゾンを含む気泡を微細化するようにしている。このように、オゾンを含む気泡を微細化することで、気泡を水に溶解させやすくなり、より効率的にオゾン水の溶存オゾン濃度を高めることができるようになる。また、本発明によれば、流入側が流出側よりも下方に位置するように気泡微細化手段を設けている。このように、流入側が流出側よりも下方に位置するように気泡微細化手段を設けることで、水よりも比重の軽い気泡が下から上へと移動する現象を利用して、気泡を気泡微細化手段に導入することができる。その結果、気泡が気泡微細化手段の上流側で滞留してしまうのが抑制されるため、気泡が気泡微細化手段に導入されなくなってしまうのを抑制することができる。すなわち、気泡微細化手段による気泡の微細化をより効率よく行うことができる。したがって、より多くの気泡を気泡微細化手段によって微細化することができ、より効率的に気泡を水に溶解させることができるようになる。
【図面の簡単な説明】
【００１６】
【図１】本発明の第１実施形態にかかる水処理装置を模式的に示す図である。
【図２】本発明の第１実施形態にかかる水処理装置の微細化手段を模式的に示す斜視図である。
【図３】本発明の第２実施形態にかかる水処理装置を模式的に示す図である。
【図４】本発明の第３実施形態にかかる水処理装置を模式的に示す図である。
【図５】本発明の第４実施形態にかかる水処理装置を模式的に示す図である。
【図６】本発明の第５実施形態にかかる水処理装置を模式的に示す図である。
【図７】本発明の第６実施形態にかかる水処理装置を模式的に示す図である。
【図８】本発明の第７実施形態にかかる水処理装置を模式的に示す図である。
【図９】本発明の第８実施形態にかかる水処理装置を模式的に示す図である。
【発明を実施するための形態】
【００１７】
以下の複数の実施形態には、同様の構成要素が含まれている。よって、以下では、それら同様の構成要素には共通の符号を付与するとともに、重複する説明を省略する。
【００１８】
（第１実施形態）
本実施形態にかかる水処理装置１０は、水道水などの原水を浄水する装置である。この水処理装置１０は、水道水などの原水（水）が導入されて流れる水路１１と、水路１１に設けられてオゾンを発生させるオゾン発生装置（オゾン発生手段）４０と、を備えている。そして、水路１１やオゾン発生装置（オゾン発生手段）４０は、図示せぬハウジングに収容されている。
【００１９】
この水路１１は、オゾン発生装置（オゾン発生手段）４０よりも上流側に設けられ、原水が導入されて通過する一次側水路１２と、オゾン発生装置（オゾン発生手段）４０よりも下流側の後述する二次側水路１３とによって構成されている。一次側水路１２には、原水を供給する原水供給部２０が設けられている。この原水供給部２０には、原水が流入する原水口２１を封止可能な原水供給弁（原水口封止手段）２２を備えている。
【００２０】
また、一次側水路１２の原水供給弁２２よりも上流側には、原水を昇圧して下流側（オゾン発生装置４０）に圧送する供給ポンプ３０が設けられている。
【００２１】
そして、供給ポンプ３０で昇圧されて下流側に圧送された水は、オゾン発生装置４０に導入されて電気分解が行われる。
【００２２】
オゾン発生装置４０は、ハウジング４１と、ハウジング４１内に収容される陰極４２および陽極４３と、陰極４２と陽極４３との間に配置され、ハウジング４１内を陰極側水路と陽極側水路とに画成する導電性の陰イオン交換膜４４とを備えている。そして、陰極４２と陽極４３に直流の電圧を印加することにより、オゾン発生装置４０に導入された水を電気分解してオゾンを発生させている。このとき発生したオゾンは主に水に溶解し、このようにオゾンが水に溶解することでオゾン水が生成される。
【００２３】
なお、陰極４２としては、例えば、チタン、ステンレスなどの導電性を有する金属電極を用いることができる。一方、陽極４３としては、例えば、導電性のダイヤモンド電極、すなわち、ダイヤモンドに窒素やホウ素などを含有して導電性を持たせた材料により形成した電極を用いることができる。
【００２４】
そして、オゾン発生装置（オゾン発生手段）４０よりも下流側には、二次側水路１３が形成されており、オゾン発生装置（オゾン発生手段）４０で生成されたオゾン水は、この二次側水路１３に導入される。
【００２５】
この二次側水路１３には、オゾン水を浄化する浄化手段６０が設けられている。浄化手段６０としては、オゾン水に紫外線を照射するＵＶ照射手段や、接触したオゾン水の溶存オゾンを分解する活性炭を充填した活性炭カートリッジなどを用いることができる。このような浄化手段６０に導入されて浄化した水は、吐出口７０から装置の外部に吐出されるようになっている。
【００２６】
本実施形態では、陰極４２と陽極４３に印加する電解電流（電解電圧）の制御、原水供給弁２２の開度制御および供給ポンプ３０の駆動制御は、制御部としての制御回路８０によって行われるようになっている。すなわち、陰極４２、陽極４３、原水供給弁２２および供給ポンプ３０はハーネスＨを介して制御回路８０に電気接続されており、それらハーネスＨを介して制御回路８０から陰極４２および陽極４３に電圧が印加されるようになっている。また、ハーネスＨを介して制御回路８０から原水供給弁２２および供給ポンプ３０に制御信号が出力されるようになっている。なお、制御回路８０には電源９０から電力が供給されるようになっている。
【００２７】
かかる構成を備える水処理装置１０は、以下のように動作する。
【００２８】
まず、水処理装置１０に形成された図示せぬ操作部を操作する。すると、制御回路８０により、原水供給弁２２が開かれ、供給ポンプ３０が駆動する。そして、水道水が原水口２１から一次側水路１２内に導入される。
【００２９】
そして、一次側水路１２内に導入された原水は、供給ポンプ３０により昇圧された状態で、オゾン発生装置４０に導入される。なお、一次側水路１２に軟水器や陰イオン除去装置を設け、陽イオンや陰イオンを除去した原水をオゾン発生装置４０に導入するようにしてもよい。こうすれば、陰極４２や陽極４３への化合物の析出・付着を抑制することができ、オゾン発生装置４０のオゾン水の生成能力が低下してしまうのを抑制することができるようになる。
【００３０】
そして、陰極４２と陽極４３に直流の電圧を印加することにより、オゾン発生装置４０に導入された水を電気分解する。この水の電気分解によりオゾンが発生し、発生したオゾンが水に溶解することでオゾン水が生成される。そして、生成されたオゾンは二次側水路１３に導入される。
【００３１】
このとき、二次側水路１３に導入されたオゾン水は、有機物の分解や殺菌を行いながら二次側水路１３内を移動し、浄化手段６０に導入される。
【００３２】
そして、浄化手段６０に導入されたオゾン水の溶存オゾンは、浄化手段６０のＵＶ照射や活性炭との接触によって分解され、飲用に適した浄水が生成される。そして、浄化手段６０によって生成された浄水が吐出口７０から装置の外部に吐出される。
【００３３】
なお、浄化手段として例えば濾過装置を用い、オゾン発生装置４０にて生成されたオゾン水の溶存オゾンを浄化手段によって分解することなく吐出口７０から吐出し、当該オゾン水を殺菌や消毒などに使用するようにしてもよい。
【００３４】
ところで、原水には微少な成分が含まれており、原水を電気分解する際には、これらの微少な成分が気泡核となり気泡が発生する。特に、電極（陰極や陽極）の周辺には、電気分解によって発生したオゾンを含む気泡が大小様々な大きさで形成されることとなる。そして、大きな気泡が形成されると、大きな気泡は水に溶解することなく気泡のまま吐出口７０から吐出されるおそれがある。このように、水に溶解することなく気泡のまま吐出口７０から吐出されると、オゾン水の溶存オゾン濃度を高めることができず、オゾン水の生成効率を高めることができなくなってしまうという問題がある。
【００３５】
そこで、本実施形態では、オゾン発生装置（オゾン発生手段）４０の下流側に、オゾン発生装置（オゾン発生手段）４０によって発生したオゾンが含まれる気泡を微細化する気泡微細化手段５０を設けた。
【００３６】
本実施形態では、複数の貫通孔５１ａが形成された基板（基体）５１を二次側水路（水路）１３内に設けることで、気泡微細化手段５０を形成している。
【００３７】
このとき、貫通孔５１ａの数を多くして総表面積を大きくすれば、より気泡の微細化が促進され、オゾンのよう存量を増大させることができるので、より多くの貫通孔５１ａを基板（基体）５１に設けるのが好ましい。本実施形態では、基板（基体）５１には多数（複数）の貫通孔５１ａが形成されており、平面視における基板（基体）５１の貫通孔５１ａが形成されていない部位の表面積に対する貫通孔５１ａの表面積の比が９００以上となるようにしている。
【００３８】
この貫通孔５１ａは、いかなる形状としてもよいし、径の大きさもいかなる大きさに設定してもよい。また、複数の貫通孔のそれぞれの形状や大きさを異ならせるようにしてもよい。また、基板（基体）５１の形状や大きさも適宜に設定することが可能であり、基板（基体）５１を複数配置させるようにしてもよい。さらに、二次側水路（水路）１３のうち基板（基体）５１が配置される部位の径を他の部位の径よりも小さくする等して径を異ならせるようにしてもよい。
【００３９】
さらに、本実施形態では、図２に示すように、気泡微細化手段５０の流入側５０ａが流出側５０ｂよりも下方に位置するように、気泡微細化手段５０を設けている。
【００４０】
このように、気泡微細化手段５０を流入側５０ａが流出側５０ｂよりも下方に位置するように設けることで、水よりも比重の軽い気泡が下から上へと移動する現象を利用して、気泡を気泡微細化手段５０内に導入させるようにしている。
【００４１】
以上説明したように、本実施形態では、オゾン発生装置（オゾン発生手段）４０によって発生したオゾンが含まれる気泡を微細化する気泡微細化手段５０をオゾン発生装置（オゾン発生手段）４０の下流側に設けた。そして、この気泡微細化手段５０によって、オゾンを発生させる際に形成されるオゾンを含む気泡を微細化するようにしている。このように、オゾンを含む気泡を微細化することで、気泡を水に溶解させやすくなり、より効率的にオゾン水の溶存オゾン濃度を高めることができるようになる。その結果、より効果的に有機物分解や殺菌を行うことができるようになる。
【００４２】
また、本実施形態によれば、流入側５０ａが流出側５０ｂよりも下方に位置するように気泡微細化手段５０を設けている。このように、流入側５０ａが流出側５０ｂよりも下方に位置するように気泡微細化手段５０を設けることで、水よりも比重の軽い気泡が下から上へと移動する現象を利用して、気泡を気泡微細化手段５０に導入することができる。その結果、気泡が気泡微細化手段５０の上流側で滞留してしまうのが抑制されるため、気泡が気泡微細化手段５０に導入されなくなってしまうのを抑制することができる。すなわち、気泡微細化手段５０を流入側５０ａが流出側５０ｂよりも下方に位置するように設けることで、気泡微細化手段５０による気泡の微細化をより効率よく行うことができるようになる。したがって、より多くの気泡を気泡微細化手段５０によって微細化することができ、より効率的に気泡を水に溶解させることができるようになる。
【００４３】
また、気泡微細化手段５０を設けることで、一次側水路１２に軟水器や陰イオン除去装置を設けなくても、より効率的に殺菌等を行うオゾン水を生成することができるようになるため、コストの削減を図ることができるようになる。また、複数の貫通孔５１ａが形成された基板（基体）５１を二次側水路（水路）１３内に設けることで、気泡微細化手段５０を形成することで、構成の簡素化を図ることができるようになる。
【００４４】
（第２実施形態）
本実施形態にかかる水処理装置１０Ａは、基本的に上記第１実施形態の水処理装置１０と同様の構成をしている。
【００４５】
すなわち、水処理装置１０Ａは、図３に示すように、水道水などの原水（水）が導入されて流れる水路１１と、水路１１に設けられてオゾンを発生させるオゾン発生装置（オゾン発生手段）４０と、を備えている。
【００４６】
そして、オゾン発生装置（オゾン発生手段）４０の下流側には、オゾン発生装置（オゾン発生手段）４０によって発生したオゾンが含まれる気泡を微細化する気泡微細化手段５０が設けられている。
【００４７】
本実施形態においても、気泡微細化手段５０は、流入側５０ａが流出側５０ｂよりも下方に位置するように設けられている。
【００４８】
ここで、本実施形態にかかる水処理装置１０Ａが上記第１実施形態の水処理装置１０と主に異なる点は、水処理装置１０Ａが加圧手段１００を備えている点にある。
【００４９】
この加圧手段１００は、水路１１内の水圧を上昇させるものであればよく、いかなる構造をしていてもよい。例えば、弁やオリフィス、リストリクタ、または長い配管などで構成することが可能である。また、水路１１内の水圧を上昇させることができればよいので、加圧手段１００は、任意の場所に配置することができる。
【００５０】
本実施形態では、加圧手段１００は、二次側水路（水路）１３の気泡微細化手段５０よりも下流側かつ浄化手段６０よりも上流側に設けている。
【００５１】
以上の本実施形態によっても、上記第１実施形態と同様の作用、効果を奏することができる。
【００５２】
また、本実施形態によれば、水処理装置１０Ａが加圧手段１００を備えているため、水圧を高めることができ、オゾンが含まれる気泡を水中により多く溶け込ませることができるようになる。その結果、オゾン水の溶存オゾン濃度を高めることができるようになり、より効果的に有機物分解や殺菌を行うことができるようになる。
【００５３】
（第３実施形態）
本実施形態にかかる水処理装置１０Ｂは、基本的に上記第２実施形態の水処理装置１０Ａと同様の構成をしている。
【００５４】
すなわち、図４に示すように、水道水などの原水（水）が導入されて流れる水路１１と、水路１１に設けられてオゾンを発生させるオゾン発生装置（オゾン発生手段）４０と、を備えている。
【００５５】
そして、オゾン発生装置（オゾン発生手段）４０の下流側には、オゾン発生装置（オゾン発生手段）４０によって発生したオゾンが含まれる気泡を微細化する気泡微細化手段５０が設けられている。
【００５６】
本実施形態においても、気泡微細化手段５０は、流入側５０ａが流出側５０ｂよりも下方に位置するように設けられている。
【００５７】
そして、水処理装置１０Ｂも加圧手段１００を備えている。
【００５８】
ここで、本実施形態にかかる水処理装置１０Ｂが上記第２実施形態の水処理装置１０Ａと主に異なる点は、圧力調整弁１０１を加圧手段１００として用いたことにある。
【００５９】
さらに、本実施形態では、少なくとも１つの検知手段１１０が設けられている。
【００６０】
検知手段１１０は、二次側水路（水路）１３の気泡微細化手段５０よりも下流側かつ加圧手段１００（圧力調整弁１０１）よりも上流側に設けている。
【００６１】
この検知手段１１０および圧力調整弁１０１は、ハーネスＨを介して制御回路８０に電気接続されている。
【００６２】
検知手段１１０は、水質や流量などを検知する手段である。水質センサとしては、例えば、濁度センサや電気伝導度センサ、ｐＨセンサ、ＯＲＰセンサ、ＴＤＳセンサ、塩分濃度センサなどの水質を検知するものを用いることができる。
【００６３】
そして、検知手段１１０によって検知された水質に基づいて、制御部８０が圧力調整弁１０１を制御するようにすれば、より適切な溶存オゾン濃度のオゾン水を生成することができるようになる。例えば、検知手段１１０が劣悪な水質であると判断した場合には、圧力調整弁１０１を制御して水圧を上昇させ溶存オゾン濃度を上げるようにすることが可能である。
【００６４】
また、検知手段１１０を溶存オゾンセンサとした場合、オゾン発生装置（オゾン発生手段）４０で生成されたオゾン水の溶存オゾン濃度を検知して、圧力調整弁１０１にフィードバックするようにしてもよい。
【００６５】
以上の本実施形態によっても、上記第２実施形態と同様の作用、効果を奏することができる。
【００６６】
また、本実施形態によれば、圧力調整弁１０１を加圧手段１００として用いている。そのため、水圧を可変にすることができる。このとき、検知手段１１０を設けるようにすれば、検知手段１１０が検知した水質や流量によってオゾン水の溶存オゾン濃度を制御することができるようになる。すなわち、水質に応じてより適切な溶存オゾン濃度のオゾン水を生成することができるようになる。
【００６７】
（第４実施形態）
本実施形態にかかる水処理装置１０Ｃは、基本的に上記第１実施形態の水処理装置１０と同様の構成をしている。
【００６８】
すなわち、図５に示すように、水道水などの原水（水）が導入されて流れる水路１１と、水路１１に設けられてオゾンを発生させるオゾン発生装置（オゾン発生手段）４０と、を備えている。
【００６９】
そして、オゾン発生装置（オゾン発生手段）４０の下流側には、オゾン発生装置（オゾン発生手段）４０によって発生したオゾンが含まれる気泡を微細化する気泡微細化手段５０が設けられている。
【００７０】
本実施形態においても、気泡微細化手段５０は、流入側５０ａが流出側５０ｂよりも下方に位置するように設けられている。
【００７１】
ここで、本実施形態にかかる水処理装置１０Ｃが上記第１実施形態の水処理装置１０と主に異なる点は、オゾン発生装置（オゾン発生手段）４０の下流側に、水を滞留させる滞留手段１２０を設けた点にある。
【００７２】
本実施形態では、オゾン発生装置（オゾン発生手段）４０で生成されたオゾン水や気泡を滞留手段１２０に一時的に貯留し、その後に浄化手段６０に導入するようにしている。
【００７３】
なお、滞留手段１２０は、オゾン発生装置（オゾン発生手段）４０で生成されたオゾン水や気泡の滞留時間を長くさせることができればよく、二次側水路（水路）１３を上下に蛇行させることで滞留手段１２０を形成するようにしてもよい。
【００７４】
以上の本実施形態によっても、上記第１実施形態と同様の作用、効果を奏することができる。
【００７５】
また、本実施形態によれば、オゾン発生装置（オゾン発生手段）４０の下流側に、水を滞留させる滞留手段１２０を設けた。その結果、オゾンを含む気泡やオゾン水の滞留時間が長くなり、気泡が水に溶解しやすくなる。すなわち、滞留部１２０を設けることで、オゾン水の溶存オゾン濃度を高めることができるようになる。また、滞留時間が長くなることで、オゾン水が有機物や菌と接触する時間が長くなって、水質浄化の促進を図ることができるようになるという利点もある。
【００７６】
（第５実施形態）
本実施形態にかかる水処理装置１０Ｄは、基本的に上記第１実施形態の水処理装置１０と同様の構成をしている。
【００７７】
すなわち、図６に示すように、水道水などの原水（水）が導入されて流れる水路１１と、水路１１に設けられてオゾンを発生させるオゾン発生装置（オゾン発生手段）４０と、を備えている。
【００７８】
そして、オゾン発生装置（オゾン発生手段）４０の下流側には、オゾン発生装置（オゾン発生手段）４０によって発生したオゾンが含まれる気泡を微細化する気泡微細化手段５０が設けられている。
【００７９】
本実施形態においても、気泡微細化手段５０は、流入側５０ａが流出側５０ｂよりも下方に位置するように設けられている。
【００８０】
ここで、本実施形態にかかる水処理装置１０Ｄが上記第１実施形態の水処理装置１０と主に異なる点は、水処理装置１０Ｄがオゾン水を循環させる循環手段１３０を備えている点にある。
【００８１】
具体的には、循環路１３１を二次側水路（水路）１３に連通させ、循環路１３１に循環ポンプ１３２を設けることで、循環手段１３０を構成している。なお、循環ポンプ１３２もハーネスＨを介して制御回路８０に電気接続されている。
【００８２】
また、本実施形態では、循環路の上流側および下流側のいずれも、二次側水路（水路）１３の気泡微細化手段５０よりも下流側かつ浄化手段６０よりも上流側に連通している。すなわち、気泡微細化手段５０よりも下流側でオゾン水を循環させている。
【００８３】
以上の本実施形態によっても、上記第１実施形態と同様の作用、効果を奏することができる。
【００８４】
また、本実施形態によれば、水処理装置１０Ｄがオゾン水を循環させる循環手段１３０を備えている。そして、この循環手段１３０によるオゾン水の循環によってオゾン溶解時間をかせぐことができる。その結果、オゾン水の溶存オゾン濃度を高めることができるようになる。また、循環によって滞留時間が長くなることで、オゾン水が有機物や菌と接触する時間が長くなり、水質浄化の促進を図ることができるようになるという利点もある。
【００８５】
また、上記第３実施形態のように、検知手段を設ければ、水質や流量に応じて適切なオゾン水の循環流量となるように制御することができる。
【００８６】
（第６実施形態）
本実施形態にかかる水処理装置１０Ｅは、基本的に上記第５実施形態の水処理装置１０Ｄと同様の構成をしている。
【００８７】
すなわち、図７に示すように、水道水などの原水（水）が導入されて流れる水路１１と、水路１１に設けられてオゾンを発生させるオゾン発生装置（オゾン発生手段）４０と、を備えている。
【００８８】
そして、オゾン発生装置（オゾン発生手段）４０の下流側には、オゾン発生装置（オゾン発生手段）４０によって発生したオゾンが含まれる気泡を微細化する気泡微細化手段５０が設けられている。
【００８９】
本実施形態においても、気泡微細化手段５０は、流入側５０ａが流出側５０ｂよりも下方に位置するように設けられている。
【００９０】
そして、水処理装置１０Ｅも、循環手段１３０を備えている。
【００９１】
ここで、本実施形態にかかる水処理装置１０Ｅが上記第５実施形態の水処理装置１０Ｄと主に異なる点は、循環手段１３０によってオゾン水を気泡微細化手段５０の上流側に循環させるようにした点にある。
【００９２】
こうすれば、循環手段１３０によって循環させたオゾン水が再度気泡微細化手段５０を通ることになるため、気泡の微細化をより促進することができる。このとき、流速が速いほうが気泡の微細化を促進することができるため、流速が早くなるように設定するのが好ましい。
【００９３】
以上の本実施形態によっても、上記第５実施形態と同様の作用、効果を奏することができる。
【００９４】
また、本実施形態によれば、循環手段１３０によってオゾン水を気泡微細化手段５０の上流側に循環させるようにした。そのため、循環手段１３０によって循環させたオゾン水が再度気泡微細化手段５０を通ることになるため、気泡の微細化をより促進することができる。その結果、オゾン水の溶存オゾン濃度をより効率的に高めることができるようになる。
【００９５】
（第７実施形態）
本実施形態にかかる水処理装置１０Ｆは、基本的に上記第１実施形態の水処理装置１０と同様の構成をしている。
【００９６】
すなわち、図８に示すように、水道水などの原水（水）が導入されて流れる水路１１と、水路１１に設けられてオゾンを発生させるオゾン発生装置（オゾン発生手段）４０と、を備えている。
【００９７】
そして、オゾン発生装置（オゾン発生手段）４０の下流側には、オゾン発生装置（オゾン発生手段）４０によって発生したオゾンが含まれる気泡を微細化する気泡微細化手段５０が設けられている。
【００９８】
本実施形態においても、気泡微細化手段５０は、流入側５０ａが流出側５０ｂよりも下方に位置するように設けられている。
【００９９】
ここで、本実施形態にかかる水処理装置１０Ｆが上記第１実施形態の水処理装置１０と主に異なる点は、水路が、気泡微細化手段５０よりも上流側に形成された分岐水路を備えている点にある。
【０１００】
本実施形態では、分岐水路としての排水路１４１を二次側水路（水路）１３に形成し、排水路１４１に電磁弁１４０を設けている。また、二次側水路（水路）１３の分岐する前の部位に逆止弁１４２を設けている。なお、電磁弁１４０もハーネスＨを介して制御回路８０に電気接続されている。
【０１０１】
そして、電磁弁１４０の開閉を制御することで、二次側水路（水路）１３内の水を気泡微細化手段５０に流入させる経路と排水路（分岐水路）１４１に流入させる経路とを切り替えるようにしている。すなわち、電磁弁１４０が経路を切り替える弁に相当している。なお、流路切り替え用の三方弁を用いて経路を切り替えるようにしてもよい。
【０１０２】
さらに、本実施形態では、排水路（分岐水路）１４１と二次側水路（水路）１３の気泡微細化手段５０が設けられている部位とが上下方向に一直線上に延在するように、排水路（分岐水路）１４１を分岐させている。
【０１０３】
以上の本実施形態によっても、上記第１実施形態と同様の作用、効果を奏することができる。
【０１０４】
また、本実施形態によれば、水路が、気泡微細化手段５０よりも上流側に形成された分岐水路を備えている。すなわち、分岐水路としての排水路１４１を二次側水路（水路）１３に形成し、排水路１４１に電磁弁１４０を設けている。さらに、二次側水路（水路）１３の分岐する前の部位に逆止弁１４２を設けている。その結果、通水を停止した際には、水位の落差によって上下に延在する二次側水路（水路）１３内の水が逆流し、排水路１４１から排水することができるようになる。すなわち、上下に延在する二次側水路（水路）１３内の水の逆流によって気泡微細化手段５０付近に堆積した不純物を逆流させて取り除くことができる。このとき、電磁弁１４０を開口することで、洗浄流が排水路１４１から排水される。このように、逆洗浄を行い、気泡微細化手段５０付近に堆積した不純物を取り除くことで、気泡微細化手段５０の寿命が短くなってしまうのを抑制することができ、装置の長寿命化を図ることができるようになる。
【０１０５】
また、本実施形態によれば、特別な逆洗浄用のポンプを必要としないため、構成の簡素化を図りつつ、コストの削減を図ることができる。
【０１０６】
また、本実施形態では、排水路（分岐水路）１４１と二次側水路（水路）１３の気泡微細化手段５０が設けられている部位とが上下方向に一直線上に延在するように、排水路（分岐水路）１４１を分岐させている。そのため、逆洗浄を行いやすく、また、気泡微細化手段５０付近に堆積した不純物をより速やかに排水路（分岐水路）１４１から排出させることができるようになる。
【０１０７】
（第８実施形態）
本実施形態にかかる水処理装置１０Ｇは、基本的に上記第７実施形態の水処理装置１０Ｆと同様の構成をしている。
【０１０８】
すなわち、図９に示すように、水道水などの原水（水）が導入されて流れる水路１１と、水路１１に設けられてオゾンを発生させるオゾン発生装置（オゾン発生手段）４０と、を備えている。
【０１０９】
そして、オゾン発生装置（オゾン発生手段）４０の下流側には、オゾン発生装置（オゾン発生手段）４０によって発生したオゾンが含まれる気泡を微細化する気泡微細化手段５０が設けられている。
【０１１０】
本実施形態においても、気泡微細化手段５０は、流入側５０ａが流出側５０ｂよりも下方に位置するように設けられている。
【０１１１】
そして、水路が、気泡微細化手段５０よりも上流側に形成された分岐水路を備えている。すなわち、分岐水路としての排水路１４１を二次側水路（水路）１３に形成し、排水路１４１に電磁弁１４０を設けている。さらに、二次側水路（水路）１３の分岐する前の部位に逆止弁１４２を設けている。
【０１１２】
ここで、本実施形態にかかる水処理装置１０Ｇが上記第７実施形態の水処理装置１０Ｆと主に異なる点は、逆洗浄用のポンプ１５０を設けた点にある。
【０１１３】
本実施形態では、二次側水路（水路）１３の気泡微細化手段５０よりも下流側に逆洗浄用のポンプ１５０を設けている。
【０１１４】
以上の本実施形態によっても、上記第７実施形態と同様の作用、効果を奏することができる。
【０１１５】
また、本実施形態によれば、逆洗浄用のポンプ１５０を設けているため、逆洗浄をよりスムースに行うことができるようになる。
【０１１６】
以上、本発明の好適な実施形態について説明したが、本発明は上記実施形態には限定されず、種々の変形が可能である。
【０１１７】
例えば、上記各実施形態で示した加圧手段、滞留手段、循環手段、分岐水路および切り替え用の弁等は、任意に組み合わせることが可能である。
【０１１８】
また、電極や浄化手段、その他細部のスペック（形状、大きさ、レイアウト等）も適宜に変更可能である。
【符号の説明】
【０１１９】
１０，１０Ａ，１０Ｂ，１０Ｃ，１０Ｄ，１０Ｅ，１０Ｆ，１０Ｇ  水処理装置
４０  オゾン発生装置（オゾン発生手段）
５０  微細化手段
５０ａ  流入側
５０ｂ  流出側
１００  加圧手段
１０１  圧力調整弁
１１０  検出手段
１２０  滞留手段
１３０  循環手段
１４０  電磁弁（経路を切り替える弁）
１４１  排水路（分岐水路）
【図１】
2014004568.tif 000003
【図２】
2014004568.tif 000004
【図３】
2014004568.tif 000005
【図４】
2014004568.tif 000006
【図５】
2014004568.tif 000007
【図６】
2014004568.tif 000008
【図７】
2014004568.tif 000009
【図８】
2014004568.tif 000010
【図９】
2014004568.tif 000011